(57)【要約】      （修正有）【課題】全体構成を単純化するとともに、両面側からのブラインドの開閉操作を含む良好な使い勝手を実現する。【解決手段】前後のガラス板１１、１１と、ガラス板１１、１１の間に収納するブラインド２０と、各ガラス板１１用の前後のガラス枠１２、１２の表面にそれぞれ装着する前後の操作摘み３１、３１とを設け、操作摘み３１、３１は、それぞれフレキシブルシャフトを介し、ブラインド２０のスラット２３の傾き調整用の回転軸２５の両端に個別に連結する。【選択図】図１
2018003456.tif 000002
【特許請求の範囲】
【請求項１】
前後のガラス板と、該ガラス板の間に収納するブラインドと、前記各ガラス板用の前後のガラス枠の表面にそれぞれ装着する前後の操作摘みとを備えてなり、該操作摘みは、それぞれフレキシブルシャフトを介し、前記ブラインドのスラットの傾き調整用の回転軸の両端に個別に連結することを特徴とするブラインド内蔵の間仕切装置。
【請求項２】
前記各操作摘みは、形状を揃えるとともに、前記各ガラス枠に向かって同方向側の同一高さ位置に配置することを特徴とする請求項１記載のブラインド内蔵の間仕切装置。
【請求項３】
前後のガラス板と、該ガラス板の間に収納するブラインドと、一方の前記ガラス板用のガラス枠の表面に装着する操作摘みとを備えてなり、該操作摘みは、フレキシブルシャフトを介し、前記ブラインドのスラットの傾き調整用の回転軸の一端に連結することを特徴とするブラインド内蔵の間仕切装置。
【請求項４】
前記フレキシブルシャフトは、前記ガラス枠を介して前記ガラス板を支持する支柱の内部を上下に通すことを特徴とする請求項１ないし請求項３のいずれか記載のブラインド内蔵の間仕切装置。
【請求項５】
前記支柱には、前記フレキシブルシャフトを引き込む上下の切欠きを形成することを特徴とする請求項４記載のブラインド内蔵の間仕切装置。
【発明の詳細な説明】
【技術分野】
【０００１】
この発明は、前後一対のガラス板の間にブラインドを収納するブラインド内蔵の間仕切装置に関する。
【背景技術】
【０００２】
前後一対のガラス板の間にブラインド（いわゆるベネシャンブラインド）を収納するブラインド内蔵の間仕切装置が知られている（たとえば特許文献１）。
【０００３】
従来の間仕切装置は、ガラス板を支持する左右の支柱の一方にタイミングベルトによる伝動機構を上下方向に組み込み、タイミングベルトの下端の駆動輪は、左右に隣接するガラス板の間の目地部に外周の一部が突出する操作輪と一体化する一方、タイミングベルトの上端の従動輪は、ブラインドの上端のスラットの傾き調整用の回転軸の一端に装着されている。そこで、ブラインドは、操作輪を手指で正逆に回転させることにより、間仕切装置の片面側からスラットの傾きを調整して開閉操作することができる。
【先行技術文献】
【特許文献】
【０００４】
【特許文献１】特許第４７７４８０１号公報
【発明の概要】
【発明が解決しようとする課題】
【０００５】
かかる従来技術によるときは、タイミングベルトによる伝動機構は、所要部品点数が多く、支柱への組込作業が煩雑になりがちである上、目地部に配置する操作輪は、回転操作が必ずしも簡単でなく、使い勝手がよくないという問題があった。また、間仕切装置の片面側だけでなく、両面側からブラインドを開閉操作する場合、タイミングベルトによる伝動機構を各面側ごとに用意する必要があり、全体構成が一層複雑化してしまうという問題がある。なお、このような両面側からのブラインド操作は、たとえば病院のＩＣＵ（集中治療室）やＮＩＣＵ（新生児集中治療室）などの部屋間を仕切るような用途において要請されることがある。
【０００６】
そこで、この発明の目的は、かかる従来技術の問題と実情とに鑑み、フレキシブルシャフトを利用することによって、全体構成を著るしく単純化するとともに、両面側からのブラインドの開閉操作を含む良好な使い勝手を容易に実現することができるブラインド内蔵の間仕切装置を提供することにある。
【課題を解決するための手段】
【０００７】
かかる目的を達成するための請求項１の発明の構成は、前後のガラス板と、ガラス板の間に収納するブラインドと、各ガラス板用の前後のガラス枠の表面にそれぞれ装着する前後の操作摘みとを備えてなり、操作摘みは、それぞれフレキシブルシャフトを介し、ブラインドのスラットの傾き調整用の回転軸の両端に個別に連結することをその要旨とする。
【０００８】
なお、各操作摘みは、形状を揃えるとともに、各ガラス枠に向かって同方向側の同一高さ位置に配置することができる。
【０００９】
請求項３の発明の構成は、前後のガラス板と、ガラス板の間に収納するブラインドと、一方のガラス板用のガラス枠の表面に装着する操作摘みとを備えてなり、操作摘みは、フレキシブルシャフトを介し、ブラインドのスラットの傾き調整用の回転軸の一端に連結することをその要旨とする。
【００１０】
なお、フレキシブルシャフトは、ガラス枠を介してガラス板を支持する支柱の内部を上下に通すことができ、支柱には、フレキシブルシャフトを引き込む上下の切欠きを形成することができる。
【発明の効果】
【００１１】
かかる請求項１の発明の構成によるときは、前後の操作摘みは、それぞれフレキシブルシャフトを介してブラインドのスラットの傾き調整用の回転軸に連結されている。そこで、各操作摘みを手指で正逆に回転させると、フレキシブルシャフトを介して回転軸を回転させ、ブラインドのスラットの傾きを調整して間仕切装置の両面側からブラインドを任意に開閉操作することができる。また、フレキシブルシャフトは、全体として単品の部材に過ぎない上、ガラス枠の表面上の操作摘みは、操作性がよいため、良好な使い勝手を容易に実現することができる。なお、スラットの傾き調整用の回転軸は、ブラインドの上端のブラインド本体に各スラットと平行に収納されており、ガラス枠上の操作摘みは、ガラス枠の表面に直立するようにして、操作者が操作し易い高さ位置に位置決めされている。そこで、フレキシブルシャフトは、回転軸、操作摘みの高さ位置が異なり、それぞれの軸方向が互いに直交するにも拘らず、操作摘みからの回転トルクを回転軸に円滑に伝達することができる。
【００１２】
各操作摘みは、形状を揃え、前後の各ガラス枠に向かって同方向側の同一高さ位置に配置することにより、間仕切装置の両面側から同一の操作感覚で操作することができる。
【００１３】
請求項３の発明の構成によるときは、操作摘みは、前後のガラス板用のガラス枠のうちの一方の表面上にのみ装着されている。そこで、このときは、間仕切装置の片面側からだけブラインドの開閉操作が可能である。
【００１４】
フレキシブルシャフトは、ガラス枠を支持する支柱内を上下に通すことにより、高さ位置が異なる操作摘みと回転軸との間に回転トルクを円滑に伝達することができる。支柱は、一般に小断面積の角筒状に形成されているため、フレキシブルシャフトに有害な捻れを生じる可能性を最少にすることができるからである。ただし、フレキシブルシャフトは、操作摘みと回転軸とを連結する際に、中間の無駄な垂みや弛みを最少にすることが好ましい。
【００１５】
フレキシブルシャフトは、支柱に形成する上下の切欠きを介して支柱内に引き込むことができる。なお、上の切欠きは、支柱のブラインド側の側面において、ブラインドの上端の回転軸に対面するようにして形成し、回転軸に連結するフレキシブルシャフトを支柱内に直線状に引き込むことが好ましい。また、下の切欠きは、支柱のブラインド側、操作摘み側の各面に共通の角部に対し、操作摘みの位置を含んで上向きに長く形成し、操作摘みに連結するフレキシブルシャフトを斜め上向きに滑らかに湾曲させながら、支柱内に引き込むことが好ましい。
【図面の簡単な説明】
【００１６】
【図１】全体縦断面図
【図２】全体横断面説明図
【図３】図２（Ａ）の要部拡大模式相当図
【図４】要部拡大模式正面図
【図５】要部拡大模式斜視図
【図６】図２（Ａ）のＹ−Ｙ線矢視相当縦断面図
【図７】使用状態説明図
【図８】図７の要部拡大模式横断面図
【発明を実施するための形態】
【００１７】
以下、図面を以って発明の実施の形態を説明する。
【００１８】
ブラインド内蔵の間仕切装置は、前後一対のガラス板１１、１１と、ガラス板１１、１１の間に収納するブラインド２０と、前後の操作摘み３１、３１とを備えてなる（図１、図２）。ただし、図２（Ａ）、（Ｂ）は、それぞれ図１のＸ1 −Ｘ1 線、Ｘ2 −Ｘ2 線矢視横断面図である。また、以下の説明において、図１の左側、図２（Ａ）の下側を便宜的に前側とし、図１の右側、図２（Ａ）の上側を便宜的に後側とする。
【００１９】
前後のガラス板１１、１１は、それぞれガラス枠１２を介し、左右の支柱１３、１３により支持されている。各支柱１３は、建屋の天井Ｃ側の天井レール１３ａ、床Ｆ側の床レール１３ｂ、アジャスタ１３ｃを介して立設されており、左右の支柱１３、１３は、下端の横桟１３ｄ、ガラス板１１、１１の下側の横桟１３ｅ、ガラス板１１、１１の上側の補強桟１３ｆ、１３ｆを介して連結されている。なお、ガラス板１１、１１の上下には、それぞれプラスタボードなどの前後のパネル１４、１４が装着されており、下のパネル１４、１４の下側は、幅木１４ａ、１４ａによってカバーされている。ただし、各パネル１４は、支柱１３、１３に係止する左右のフック金具１４ｂ、１４ｂを介し、支柱１３、１３の前面または後面に着脱自在に装着されている。
【００２０】
ガラス板１１、１１用の前後のガラス枠１２、１２は、それぞれ図示しないコーナ材を介し、同一断面形状の上下の横材、左右の縦材を四角い枠状に連結して構成されており、それぞれ左右の支持材１２ａ、１２ａを介して左右の支柱１３、１３にねじ止めするとともに、下の支持材１２ｂを介し、支柱１３、１３間の横桟１３ｅにねじ止めされている。各ガラス枠１２の四周の内周縁には、それぞれガラス板１１用のビート１１ａ、クッション材１１ｂ、スペーサ１１ｃが配設されている（図３）。ただし、ビート１１ａは、ガラス枠１２に係止して固定するビート押え１１ｄにより保持されている。なお、ガラス板１１の上縁側のスペーサ１１ｃは、設けられていない（図１）。
【００２１】
ブラインド２０は、上端のブラインド本体２１と、複数本の梯子状のラダーコード２２、２２…を介してブラインド本体２１から等間隔に吊下する多数のスラット２３、２３…とを備えて構成されている（図１、図４）。ただし、図４には、１本のラダーコード２２のみが図示されている。
【００２２】
ブラインド本体２１は、左右に長く、上部開放のチャンネル状に形成されている。ラダーコード２２、２２…の下端には、ボトムレール２４が連結されており、ブラインド本体２１からボトムレール２４に至るブラインド２０の全体高さは、ガラス板１１、１１の高さに合わせ、図示しない吊りコードを介して適切に設定されている。ブラインド本体２１は、支柱１３、１３間の上側の補強桟１３ｆ、１３ｆにねじ止めする左右の取付金具２１ａ、２１ａと、各取付金具２１ａに付設するブラケット２１ｂ、２１ｂとを介し、ガラス板１１、１１の上方に水平に固定されている。ただし、図４には、１組の取付金具２１ａ、ブラケット２１ｂのみが図示されている。また、図４には、補強桟１３ｆ、１３ｆの先端の連結材１３ｆ1 を支柱１３に連結するフック金具１３ｆ2 が併せて図示されている。
【００２３】
ブラインド本体２１内には、回転軸２５が収納されている（図３、図４）。回転軸２５は、ブラインド本体２１より短い六角軸であって、回転軸２５の中間部には、各ラダーコード２２の前後の縦材を正逆に巻き付ける図示しないドラムが相対回転不能に配置されている。そこで、回転軸２５を軸まわりに正逆に回転させると（図３の矢印方向）、ラダーコード２２、２２…を介し、スラット２３、２３…を一斉に正逆に回転させてブラインド２０を開閉操作することができ、回転軸２５は、スラット２３、２３…の傾き調整用となっている。
【００２４】
回転軸２５の両端には、それぞれジョイント３２ａを介してフレキシブルシャフト３２が連結されている。回転軸２５に連結するフレキシブルシャフト３２は、支柱１３に形成する切欠き３４を介して支柱１３内に引き込まれ（図４、図５）、支柱１３内を下向きに通した上、操作摘み３１の図示しない軸端に連結されている（図３、図４）。なお、操作摘み３１は、取付ベース３１ａを介して前後の各ガラス枠１２の表面上に装着されており（図２（Ａ）、図４）、フレキシブルシャフト３２には、分離接合用のコネクタ３２ｂが操作摘み３１の近くに設けられている。
【００２５】
支柱１３には、操作摘み３１を含む位置から上向きに長い切欠き３５がブラインド２０側、操作摘み３１側の各面に共通の角部に形成されており（図３、図６）、操作摘み３１からのフレキシブルシャフト３２は、斜め上向きに滑らかに湾曲させながら切欠き３５を介して支柱１３内に引き入れられている。ただし、支柱１３にねじ止めするガラス枠１２用の支持材１２ａにも、支柱１３側の切欠き３５に合わせて切欠き３５が形成されている（図４）。また、各支柱１３には、各１組ずつの切欠き３４、３４、切欠き３５、３５がそれぞれ対称形に形成されている（図３）。
【００２６】
かかるブラインド内蔵の間仕切装置は、前後の操作摘み３１、３１を個別に回転操作することにより、ブラインド２０のスラット２３、２３…の傾きを調整し、間仕切装置の両面側からブラインド２０を開閉操作することができる。各操作摘み３１の回転トルクは、フレキシブルシャフト３２を介して回転軸２５に伝達され、回転軸２５を回転駆動することができるからである。なお、前後の操作摘み３１、３１は、同一形状に揃えるとともに、それぞれ前後の各ガラス板１１、ガラス枠１２に向かって同方向側の同一高さ位置に配置することが好ましい（図２（Ａ）、図６）。
【００２７】
ブラインド内蔵の間仕切装置は、複数枚を横一列に連設して設置することができる（図７、図８）。ただし、図７（Ａ）、（Ｂ）は、それぞれ全体模式正面図、全体模式平面図である。また、図７（Ａ）において、各ガラス板１１は、図示が省略されており、図７（Ｂ）において、各矢印は、前後の操作摘み３１、３１…の位置を示している。
【００２８】
以上の説明において、前後の操作摘み３１、３１は、その一方を省略することができる。このとき、操作摘み３１は、一方のガラス板１１用のガラス枠１２の表面に装着され、フレキシブルシャフト３２を介してブラインド２０の回転軸２５の一端に連結されており、間仕切装置の片面側からブラインド２０を開閉操作することができる。
【００２９】
また、前後のガラス板１１、１１の上側の前後のパネル１４、１４を省略してもよく、下側の前後のパネル１４、１４を省略してもよい。さらに、ガラス板１１、１１の上下の前後のパネル１４、１４…の全部を省略してもよい。これらの場合、省略された前後のパネル１４、１４に応じて、前後のガラス板１１、１１、ガラス枠１２、１２、ブラインド２０を上方向、下方向、上下方向に延長して対応することができる。
【００３０】
なお、図７において、連設するブラインド内蔵の間仕切装置の枚数は、特に制限がなく、また、ブラインド２０を内蔵せず、パネル１４、１４…だけの間仕切装置を混在させてもよい。
【産業上の利用可能性】
【００３１】
この発明は、事務所や工場などの大規模建築物用に限らず、一般住宅用などとしても、広く好適に適用することができる。
【符号の説明】
【００３２】
１１…ガラス板
１２…ガラス枠
１３…支柱
２０…ブラインド
２３…スラット
２５…回転軸
３１…操作摘み
３２…フレキシブルシャフト
３４、３５…切欠き
特許出願人      小松ウオール工業株式会社
【図１】
2018003456.tif 000003
【図２】
2018003456.tif 000004
【図３】
2018003456.tif 000005
【図４】
2018003456.tif 000006
【図５】
2018003456.tif 000007
【図６】
2018003456.tif 000008
【図７】
2018003456.tif 000009
【図８】
2018003456.tif 000010